(57)【要約】【課題】意匠性を向上させ、インターホン装置の側面を保護可能とする。【解決手段】装飾部材１は、操作を受け付ける操作部８１を前面８０１に有して構造体５００に設置されるインターホン装置８０の、装飾部材である。装飾部材１は、インターホン装置８０の後面の少なくとも一部を覆う背面部２と、背面部２と一体であって背面部２から前方に向かいインターホン装置８０の側面（８０２〜８０５）の少なくとも一部を覆う装飾部３と、を備える。装飾部３は、インターホン装置８０の左右の側面（８０２，８０３）の少なくとも一部を覆う側壁部（３１，３２）を有する。【選択図】図３
2019193125.tif 000002
【特許請求の範囲】
【請求項１】
操作を受け付ける操作部を前面に有して構造体に設置されるインターホン装置の、装飾部材であって、
前記インターホン装置の後面の少なくとも一部を覆う背面部と、
前記背面部と一体であって前記背面部から前方に向かい前記インターホン装置の側面の少なくとも一部を覆う装飾部と、
を備え、
前記装飾部は、前記インターホン装置の左右の側面の少なくとも一部を覆う側壁部を有する、
装飾部材。
【請求項２】
前記装飾部は、前記インターホン装置の上側の側面の少なくとも一部を覆う上壁部をさらに有する、
請求項１記載の装飾部材。
【請求項３】
前記装飾部は、前記インターホン装置の下側の側面の少なくとも一部を覆う下壁部をさらに有する、
請求項１又は２記載の装飾部材。
【請求項４】
前記装飾部は、前記インターホン装置における隣り合う２つの側面の間の角部分を覆う、角部をさらに有する、
請求項１〜３の何れか一項記載の装飾部材。
【請求項５】
前記装飾部は、前方から見て、前記インターホン装置の前記側面の全周を覆う、
請求項１〜４の何れか一項記載の装飾部材。
【請求項６】
前記装飾部は、少なくとも、前記インターホン装置の前記前面と前記側面との境界部分を、前記インターホン装置の前記側面の全周にわたって覆う、
請求項５記載の装飾部材。
【請求項７】
前記背面部は、前後方向に貫通する開口を有する、
請求項１〜６の何れか一項記載の装飾部材。
【請求項８】
前記装飾部材は、前記構造体に設けられた取付孔にその一部が埋め込まれるように前記構造体に取り付けられ、
前記装飾部は、
前記取付孔の内部に埋め込まれる埋込部と、
前記埋込部の前方にあって前記取付孔から露出する露出部と、
を有する、
請求項１〜７の何れか一項記載の装飾部材。
【請求項９】
前記露出部は、前後方向と直交する面内において前記埋込部よりも外側に突出する鍔部を有する、
請求項８記載の装飾部材。
【請求項１０】
前記装飾部は傾斜部を有し、
前記傾斜部は、前方から後方に向かうにつれて、前後方向と直交する面内での厚さが徐々に増加するよう構成されている、
請求項１〜９の何れか一項記載の装飾部材。
【請求項１１】
前記背面部は、前記構造体に対して前記装飾部材を取り付けるための取付部を有する、
請求項１〜１０の何れか一項記載の装飾部材。
【請求項１２】
請求項１〜１１の何れか一項記載の装飾部材と、
前記インターホン装置と、
を備える、
インターホンユニット。
【請求項１３】
請求項１２記載のインターホンユニットと、
前記インターホン装置と通信可能な情報端末と、
を備える、
インターホンシステム。
【発明の詳細な説明】
【技術分野】
【０００１】
本開示は、一般に装飾部材、インターホンユニット、及びインターホンシステムに関し、より詳細には、インターホン装置用の装飾部材、この装飾部材を備えるインターホンユニット、及びこのインターホンユニットを備えるインターホンシステムに関する。
【背景技術】
【０００２】
特許文献１には、壁面化粧用パネルユニットが開示されている。
【０００３】
特許文献１の壁面化粧用パネルユニットは、装置（インターフォンの音声操作盤や表示画面などを含むコントロールユニット等）の周囲の壁面を化粧するためのパネルユニットである。壁面化粧用パネルユニットは、壁固定パネルと、化粧パネルと、を備えている。壁固定パネルは、板状部材から構成され、壁面方向に固定したときに装置が外部に覗くように開口部を設けている。化粧パネルは、壁固定パネルを壁面方向に覆う形状を有し、壁固定パネルを覆うときに壁固定パネルの開口部を覗く位置に開口部を設けている。化粧パネルは、壁固定パネルに対して少なくとも下方向に位置決め可能に構成されている。
【先行技術文献】
【特許文献】
【０００４】
【特許文献１】特開２０１０−２４５６５１号公報
【発明の概要】
【発明が解決しようとする課題】
【０００５】
インターホン装置では、意匠性を向上可能でありインターホン装置の側面を保護可能な化粧部材が望まれている。
【０００６】
本開示は、意匠性を向上させ、インターホン装置の側面を保護可能な装飾部材、この装飾部材を備えるインターホンユニット、及びこのインターホンユニットを備えるインターホンシステムを提供することを目的とする。
【課題を解決するための手段】
【０００７】
本開示の一態様に係る装飾部材は、インターホン装置の装飾部材である。前記インターホン装置は、操作を受け付ける操作部を前面に有して構造体に設置される。前記装飾部材は、背面部と、装飾部と、を備える。前記背面部は、前記インターホン装置の後面の少なくとも一部を覆う。前記装飾部は、前記背面部と一体であって前記背面部から前方に向かい前記インターホン装置の側面の少なくとも一部を覆う。前記装飾部は、側壁部を有する。前記側壁部は、前記インターホン装置の左右の側面の少なくとも一部を覆う。
【０００８】
本開示の一態様に係るインターホンユニットは、前記装飾部材と、前記インターホン装置と、を備える。
【０００９】
本開示の一態様に係るインターホンシステムは、前記インターホンユニットと、前記インターホン装置と通信可能な情報端末と、を備える。
【発明の効果】
【００１０】
本開示によれば、意匠性を向上させ、インターホン装置の側面を保護可能という利点がある。
【図面の簡単な説明】
【００１１】
【図１】図１は、本発明の一実施形態に係るインターホンシステムのブロック図である。
【図２】図２は、同上のインターホンシステムに用いられるインターホンユニットを構造体に取り付けた状態の正面図である。
【図３】図３は、同上のインターホンユニット及び構造体の分解斜視図である。
【図４】図４Ａは、図２のＸ−Ｘ線における断面図である。図４Ｂは、図４Ａの要部拡大図である。
【図５】図５Ａ及び図５Ｂは、それぞれ、変形例１のインターホンユニットを構造体に取り付けた状態の正面図及び右側面図である。
【図６】図６は、同上のインターホンユニット及び構造体の分解斜視図である。
【図７】図７Ａ及び図７Ｂは、それぞれ、変形例２のインターホンユニットを構造体に取り付けた状態の正面図及び右側面図である。
【図８】図８Ａ及び図８Ｂは、それぞれ、変形例３のインターホンユニットを構造体に取り付けた状態の正面図及び右側面図である。
【図９】図９Ａ及び図９Ｂは、それぞれ、変形例４のインターホンユニットを構造体に取り付けた状態の正面図及び右側面図である。
【図１０】図１０Ａ及び図１０Ｂは、それぞれ、変形例５のインターホンユニットを構造体に取り付けた状態の正面図及び右側面図である。
【図１１】図１１Ａ及び図１１Ｂは、それぞれ、変形例６のインターホンユニット及び設備スイッチを構造体に取り付けた状態の正面図及び右側面図である。
【図１２】図１２Ａ及び図１２Ｂは、それぞれ、変形例７のインターホンユニット及び設備スイッチを構造体に取り付けた状態の正面図及び右側面図である。
【発明を実施するための形態】
【００１２】
下記の実施形態及び変形例において説明する各図は、模式的な図であり、図中の各構成要素の大きさ及び厚さそれぞれの比が必ずしも実際の寸法比を反映しているとは限らない。
【００１３】
以下、本実施形態に係る装飾部材１、インターホンユニット８、インターホンシステム１００について、添付の図面を参照して説明する。本実施形態では、インターホンシステム１００が集合住宅に用いられる場合を例として説明するが、インターホンシステム１００は集合住宅用のインターホンシステムに限られず、例えば戸建住宅用のインターホンシステムであってもよい。
【００１４】
（１）概要
本実施形態のインターホンシステム１００は、図１に示すように、インターホンユニット８と、それぞれ情報端末９０としてのインターホン子機９１、ロビーインターホン９２及び管理室親機９３と、を備えている。また、インターホンシステム１００は、制御装置９４を備えている。
【００１５】
インターホンユニット８及びインターホン子機９１は、集合住宅の住戸５０に設けられる。例えば、インターホンユニット８は、住戸５０内の構造体５００（例えば、住戸５０の室内の壁）に設けられ、インターホン子機９１は、住戸５０の外玄関に設けられる。ロビーインターホン９２は、集合住宅のロビーに設けられる。管理室親機９３は、集合住宅の管理室に設けられる。制御装置９４は、インターホンユニット８（インターホン親機８００）、ロビーインターホン９２、管理室親機９３の間の通信を制御する。
【００１６】
図２、図３に示すように、インターホンユニット８は、インターホン装置８０としてのインターホン親機８００と、装飾部材１と、を備えている。
【００１７】
インターホン親機８００は、操作を受け付ける操作部８１を、その前面に有している。図２に示すように、インターホン親機８００は、前面が露出するように構造体５００（壁）に設置される。
【００１８】
装飾部材１は、インターホン親機８００を装飾するための部材である。装飾部材１は、図３に示すように、背面部２と、装飾部３と、を備えている。
【００１９】
背面部２は、装飾部材１において、インターホン親機８００の後面８０６（図４Ａ参照）の少なくとも一部を覆う部分である。装飾部３は、装飾部材１において、インターホン親機８００の側面（左側面８０２、右側面８０３、上側面８０４、下側面８０５）の少なくとも一部を覆う部分である。装飾部３は、背面部２と一体であって、背面部２から前方に向かっている。詳しくは、装飾部３は、背面部２から前方に突出している。
【００２０】
図２、図３に示すように、装飾部３は、側壁部３１，３２（左側壁部３１、右側壁部３２）を有している。左側壁部３１は、インターホン親機８００の左側面８０２の少なくとも一部（本実施形態では、左側面８０２の全体）を覆う。右側壁部３２は、インターホン親機８００の右側面８０３の少なくとも一部（本実施形態では、右側面８０３の全体）を覆う。
【００２１】
図２〜図４Ｂに示すように、装飾部材１は、インターホン親機８００とともに、構造体５００に取り付けられる。装飾部材１を、インターホン親機８００とともに構造体５００に取り付けることで、インターホン親機８００（インターホンユニット８）の意匠性を向上させることが可能となる。また、本実施形態１の装飾部材１を、インターホン親機８００とともに構造体５００に取り付けることで、インターホン親機８００の側面を保護することが可能となる。
【００２２】
また、本実施形態の装飾部材１では、装飾部３が、インターホン親機８００の後面８０６の少なくとも一部を覆う背面部２と一体となっているため、特許文献１の壁面化粧用パネルユニットのように２つの部材を別々に取り付ける必要がない。このため、本実施形態の装飾部材１は、施工性を向上させることが可能となる。
【００２３】
（２）詳細
以下に、本実施形態に係る装飾部材１、インターホンユニット８、インターホンシステム１００について、図面を参照してより詳細に説明する。
【００２４】
（２．１）インターホン親機
まず、装飾部材１とともにインターホンユニット８を構成するインターホン親機８００（インターホン装置８０）について、図１〜図３を参照して説明する。
【００２５】
図１〜図３に示すように、インターホン親機８００は、操作部８１、表示部８２、通話部８３、通信部８４、制御部８５、筐体８６を備えている。
【００２６】
図３に示すように、筐体８６は、カバー８６１とベース８６２とを備えている。
【００２７】
カバー８６１は、前方から見て縦長の矩形状である。カバー８６１は、例えば樹脂材料から形成されている。カバー８６１の前面には、操作部８１（通話ボタン８１１及び解錠ボタン８１２）と、表示部８２とが配置されている。カバー８６１の後面の上端には、後方に突出する一対の嵌合爪が設けられている。
【００２８】
ベース８６２は、前方から見たときの外周形状がカバー８６１と同じ（或いは、一回りだけ小さい）矩形状である。ベース８６２は、例えば樹脂材料から形成されている。
【００２９】
ベース８６２の中央部には、後方に凹んだ収容部（凹所）８６２１が形成されており、この収容部８６２１の内部空間に、カバー８６１の後面に設けられた配線６１等を収容可能となっている。また、収容部８６２１には、各種ケーブルが接続される端子が設けられている。収容部８６２１の上面には貫通孔が設けられており、この貫通孔を通して、収容部８６２１内に配線６１を後方から導入可能となっている。
【００３０】
ベース８６２において収容部８６２１の左側及び右側の各々には、上下に並ぶ一対の貫通孔８６２２が（計４つ）形成されている。
【００３１】
ベース８６２の前面の上端には、一対の嵌合凹所８６２３が設けられている。ベース８６２の下端には、ねじ孔８６２４が設けられている。カバー８６１の一対の嵌合爪をベース８６２の一対の嵌合凹所８６２３に引っ掛け、カバー８６１の下端に形成された貫通孔を通したねじをねじ孔８６２４に結合することで、カバー８６１がベース８６２に取り付けられる。なお、図２、図３では、貫通孔が取り外し可能な化粧パネルで覆われた状態を示している。
【００３２】
操作部８１は、インターホン親機８００が設けられている住戸５０の住人による操作を受け付ける。本実施形態では、操作部８１は、通話ボタン８１１と、解錠ボタン８１２と、を備えている。通話ボタン８１１及び解錠ボタン８１２は、いずれも例えば樹脂材料から、前方から見て矩形状に形成されている。
【００３３】
図２、図３に示すように、操作部８１（通話ボタン８１１及び解錠ボタン８１２）は、カバー８６１の前面に設けられている。カバー８６１の前面は筐体８６の前面であり、インターホン親機８００の前面８０１である。要するに、操作部８１は、インターホン親機８００の前面８０１に設けられている。
【００３４】
なお、インターホン親機８００が操作部８１を複数備えている場合、一部の操作部８１は、インターホン親機８００において前面８０１以外の面（例えば、右側面８０３、上側面８０４等）に設けられていてもよい。
【００３５】
インターホン親機８００は、例えば来訪者によりロビーインターホン９２から呼び出しが発生した場合、呼び出し音を発生させる。インターホン親機８００では、通話ボタン８１１が住戸５０の住人に押されることにより、インターホン親機８００とロビーインターホン９２とを介して、住人と来訪者との通話が可能となる。
【００３６】
また、図１に示すように、インターホン親機８００には、ロビーの玄関ドアに設けられた電気錠の施錠／解錠を制御する玄関制御装置９５が、制御装置９４を介して接続されている。インターホン親機８００では、解錠ボタン８１２が住人に押されることにより、ロビーの玄関ドアの電気錠が解錠され、来訪者を集合住宅内に招き入れることが可能となる。
【００３７】
図２、図３に示すように、表示部８２は、カバー８６１の前面に設けられている。すなわち、表示部８２は、インターホン親機８００の前面８０１に設けられている。
【００３８】
表示部８２は、液晶モニターを備えている。表示部８２は、所望の画像を表示する。表示部８２は、例えば、インターホン子機９１又はロビーインターホン９２から送信される画像データに基づいて、インターホン子機９１又はロビーインターホン９２に接続されている撮像部で撮像された画像を、表示する。なお、表示部８２は、使用者の操作を受け付け可能なタッチパネルで構成されていてもよい。つまり、表示部８２は、操作部８１と一体に構成されていてもよい。
【００３９】
通話部８３は、スピーカとマイクロホンとを備えている。スピーカは、音信号（電気信号）を音に変換する。マイクロホンは、音を音信号（電気信号）に変換する。スピーカ及びマイクロホンは、例えば他の装置（ロビーインターホン９２、管理室親機９３、他住戸のインターホン親機８００等）を介した通話に用いられる。また、スピーカは、呼び出し音、警報音等の発生に用いられる。
【００４０】
通信部８４は、通信インターフェースであり、複数の設備（装置、システム）が接続されている。図１に示すように、本実施形態では、通信部８４にインターホン子機９１及び制御装置９４が接続されている。通信部８４は、接続された設備との間で通信を行う。
【００４１】
すなわち、図１に示すように、各住戸５０において、通信部８４はインターホン子機９１と接続されている。これにより、インターホン親機８００（インターホン装置８０）とインターホン子機９１（情報端末９０）とは、互いに通信可能に構成されている。また通信部８４は、制御装置９４を介して、ロビーインターホン９２及び管理室親機９３と接続されている。これにより、インターホン親機８００（インターホン装置８０）とロビーインターホン９２（情報端末９０）とは、制御装置９４を介して互いに通信可能に構成されている。また、インターホン親機８００（インターホン装置８０）と管理室親機９３（情報端末９０）とは、制御装置９４を介して互いに通信可能に構成されている。
【００４２】
制御部８５は、例えばメモリ、プロセッサを有するマイコン（マイクロコンピュータ）であり、プロセッサがメモリに格納されたプログラムを実行することにより種々の機能を実現する。プログラムは、予めメモリに記憶されていてもよいし、メモリカードなどの記憶媒体に記録されて提供されてもよいし、電気通信回線を通して提供されてもよい。制御部８５は、操作部８１、表示部８２、通話部８３、通信部８４等を制御するように構成されている。
【００４３】
（２．２）装飾部材
次に、本実施形態に係る装飾部材１について、図２〜図４Ｂを参照して説明する。
【００４４】
装飾部材１は、インターホン親機８００（インターホン装置８０）を装飾するための部材である。装飾部材１は、例えば樹脂材料から形成されている。装飾部材１は、例えばアクリル樹脂等の（半）透明の樹脂材料から形成されていてもよい。なお、装飾部材１の材料は樹脂には限定されず、例えば金属等であってもよい。
【００４５】
上述のように、装飾部材１は、背面部２と、装飾部３と、を備えている。
【００４６】
背面部２は、前方から見たときの外周形状がインターホン親機８００とほぼ同じ（若干大きな）矩形板状である。背面部２は、前後方向（背面部２の厚さ方向）に貫通する開口２０を有している。開口２０は、本実施形態では矩形状であって、背面部２の中央に形成されている。開口２０は、インターホン親機８００のベース８６２の収容部８６２１を挿通可能な形状に形成されている。
【００４７】
背面部２において、開口２０の左側及び右側の各々には、上下に並ぶ一対の貫通孔２１が（計４つ）形成されている。４つの貫通孔２１は、背面部２の開口２０にベース８６２の収容部８６２１を通した状態でベース８６２の４つの貫通孔８６２２とそれぞれ重なる位置に、形成されている。
【００４８】
装飾部３は、上述のように、側壁部３１，３２（左側壁部３１、右側壁部３２）を有している。
【００４９】
左側壁部３１は、左右方向に厚さを有する板状である。左側壁部３１は、背面部２の左端から前方に向かっている。詳しくは、左側壁部３１は、背面部２の上下方向の全長にわたって、背面部２の左端から前方に突出するように形成されている。本実施形態では、前後方向における左側壁部３１の背面部２からの突出高さは、インターホン親機８００の左側面８０２の前後方向での幅よりも大きい。
【００５０】
右側壁部３２は、左右方向に厚さを有する板状である。右側壁部３２は、背面部２の右端から前方に向かっている。詳しくは、右側壁部３２は、背面部２の上下方向の全長にわたって、背面部２の右端から前方に突出するように形成されている。本実施形態では、前後方向における右側壁部３２の背面部２からの突出高さは、インターホン親機８００の右側面８０３の前後方向での幅よりも大きい。
【００５１】
図２、図３に示すように、装飾部３は、上壁部３３をさらに有している。上壁部３３は、インターホン親機８００の上側面８０４の少なくとも一部（本実施形態では、上側面８０４の全体）を覆う。
【００５２】
上壁部３３は、上下方向に厚さを有する板状である。上壁部３３は、背面部２の上端から前方に向かっている。詳しくは、上壁部３３は、背面部２の左右方向の全長にわたって、背面部２の上端から前方に突出するように形成されている。本実施形態では、前後方向における上壁部３３の背面部２からの突出高さは、インターホン親機８００の上側面８０４の前後方向での幅よりも大きい。
【００５３】
図２、図３に示すように、装飾部３は、下壁部３４をさらに有している。下壁部３４は、インターホン親機８００の下側面８０５の少なくとも一部（本実施形態では、下側面８０５の全体）を覆う。
【００５４】
下壁部３４は、上下方向に厚さを有する板状である。下壁部３４は、背面部２の下端から前方に向かっている。詳しくは、下壁部３４は、背面部２の左右方向の全長にわたって、背面部２の下端から前方に突出するように形成されている。本実施形態では、前後方向における下壁部３４の背面部２からの突出高さは、インターホン親機８００の下側面８０５の前後方向での幅よりも大きい。
【００５５】
図２、図３に示すように、装飾部３は、角部３５をさらに有している。角部３５は、インターホン親機８００における隣り合う２つの側面の間の角部分を覆う。本実施形態では、装飾部３は、４つの角部３５を有している。４つの角部３５は、インターホン親機８００における左側面８０２と上側面８０４との間の角部分、右側面８０３と上側面８０４との間の角部分、左側面８０２と下側面８０５との間の角部分、右側面８０３と下側面８０５との間の角部分を、それぞれ覆う。
【００５６】
本実施形態では、４つの角部３５は、左側壁部３１と上壁部３３との間、右側壁部３２と上壁部３３との間、左側壁部３１と下壁部３４との間、右側壁部３２と下壁部３４との間を、それぞれ繋いでいる。各角部３５の外側の面は、面取りされている。
【００５７】
すなわち、本実施形態の装飾部材１では、装飾部３が、左側壁部３１、右側壁部３２、上壁部３３、下壁部３４、及び４つの角部３５を備えている。装飾部材１は、背面部２と装飾部３とで、インターホン親機８００（収容部８６２１を除く）を内部に収容可能な箱状に形成されている。図２、図４Ａ、図４Ｂに示すように、インターホン親機８００を装飾部材１の内部に収容した状態において、装飾部３の左側壁部３１の内面、右側壁部３２の内面、上壁部３３の内面、下壁部３４の内面は、インターホン親機８００の左側面８０２、右側面８０３、上側面８０４、下側面８０５にそれぞれ近接（或いは接触）する。
【００５８】
また、図２、図３に示すように、本実施形態の装飾部材１では、装飾部３は、背面部２の周縁の全周にわたって形成されている。つまり、装飾部３は、左側壁部３１、右側壁部３２、上壁部３３、下壁部３４、及び４つの角部３５によって、背面部２の周縁の全周にわたって隙間なく形成されている。したがって、インターホン親機８００を装飾部材１の内部に収容した状態（図２参照）において、装飾部３は、前方から見てインターホン親機８００の側面（左側面８０２、右側面８０３、上側面８０４、下側面８０５）の全周を覆う。
【００５９】
また、上述のように、装飾部３の各壁部（左側壁部３１、右側壁部３２、上壁部３３、下壁部３４）の高さは、インターホン親機８００における対応する側面（左側面８０２、右側面８０３、上側面８０４、下側面８０５）の前後方向での幅よりも大きい。したがって、図４Ａ、図４Ｂに示すように、インターホン親機８００を装飾部材１の内部に収容した状態において、装飾部３の前端は、インターホン親機８００の前面８０１よりも前側に位置する。これにより、装飾部３は、インターホン親機８００の前面８０１と側面（左側面８０２、右側面８０３、上側面８０４、下側面８０５）との境界部分を覆う。特に、本実施形態の装飾部３は、インターホン親機８００の前面８０１と側面（８０２〜８０５）との境界部分を、インターホン装置の側面（８０２〜８０５）の全周にわたって覆う。このように、装飾部３の前端がインターホン親機８００の前面８０１よりも前側に位置するように、インターホン親機８００を装飾部材１に収容することで、インターホン親機８００に対する保護性能を向上させることが可能となる。
【００６０】
図４Ａ、図４Ｂに示すように、装飾部３の各壁部（左側壁部３１、右側壁部３２、上壁部３３、下壁部３４）及び角部３５は、基部３０１と、鍔部３０２と、を有している（図４Ａでは左側壁部３１、右側壁部３２のみ、図４Ｂでは右側壁部３２のみ図示）。なお、装飾部３の各壁部（左側壁部３１、右側壁部３２、上壁部３３、下壁部３４）の、壁部の厚さ方向と前後方向とを含む平面での断面形状は、互いに同じである。
【００６１】
基部３０１は、背面部２の周縁から背面部２の厚さ方向に突出しており、背面部２の厚さ方向と直交する方向に厚さを有する板状の部分である。基部３０１の厚さは、前後方向にわたって略一定である。４つの壁部及び４つの角部３５の基部３０１は、前方から見て、インターホン親機８００の周囲を覆う矩形枠状をなしている。
【００６２】
鍔部３０２は、基部３０１の突出先端から外側に突出する部分である。図２、図３に示すように、鍔部３０２は、４つの壁部の基部３０１の全長にわたって形成されている。つまり、４つの壁部及び４つの角部３５の鍔部３０２は、前方から見て、インターホン親機８００の周囲を覆う矩形枠状をなしている。
【００６３】
図４Ａ、図４Ｂに示すように、鍔部３０２の前面は、前方から後方に向かうにつれて外側に向かうように傾斜した傾斜面となっている。言い換えれば、装飾部３は、傾斜部３０３を有している。傾斜部３０３は、前方から後方に向かうにつれて、前後方向と直交する面内での厚さが徐々に増加するよう構成されている。
【００６４】
（２．３）インターホンユニットの取り付け
インターホン親機８００及び装飾部材１を備えたインターホンユニット８の、構造体５００（壁）への取り付け方について、図２〜図４Ｂを参照して説明する。
【００６５】
図３に示すように、構造体５００（住戸５０の壁）には、予め、装飾部材１の装飾部３（基部３０１に対応する部分）の外周形状とほぼ同じ形状の矩形の取付孔５０１が形成されている。また、構造体５００の後面（壁の裏側）において取付孔５０１の後方に、直方体状の埋込ボックス６０が埋込配置されている。埋込ボックス６０は、その中央に開口６０１を有しており、開口６０１の左側及び右側の各々に、上下に並ぶ一対のねじ孔６０２が（計４つ）形成されている。埋込ボックス６０の開口６０１には、配線６１が通されている。
【００６６】
まず、施工者は、図３に示すように、装飾部材１を取付孔５０１の前方に位置させ、背面部２の開口２０に配線６１を通す。そして、施工者は、装飾部材１における背面部２及び装飾部３の後側の部分を、取付孔５０１内に挿入する。
【００６７】
ここにおいて、取付孔５０１の開口形状を、鍔部３０２が通過できない形状（例えば、鍔部３０２の外周形状より一回り小さな矩形状）としておけば、鍔部３０２の後面が構造体５００（壁）の前面に接触することで、鍔部３０２は取付孔５０１には挿入されない。したがって、鍔部３０２の後面が構造体５００（壁）の前面に接触することで、装飾部材１が、構造体５００（壁）に対して前後方向に位置決めされる（図４Ａ、図４Ｂ参照）。すなわち、本実施形態の装飾部３は、取付孔５０１の内部に埋め込まれる埋込部３０４（基部３０１の後側の部分）と、埋込部３０４の前方にあって取付孔５０１から露出する露出部３０５と、を有している。このように、装飾部３の一部（埋込部３０４）が構造体５００（壁）に埋め込まれることで、インターホン親機８００（インターホンユニット８）の構造体５００（壁）からの突出量を抑えることができる。また、露出部３０５は、前後方向と直交する面内において埋込部３０４よりも外側に突出する鍔部３０２を有している。このように、露出部３０５が鍔部３０２を有していれば、鍔部３０２によって、装飾部材１の前後方向の位置決めが可能となる。また、埋込部３０４と取付孔５０１の周面との間に隙間がある場合であっても、この隙間を鍔部３０２で覆い隠すことができる。
【００６８】
次に、施工者は、図３に示すようにベース８６２を装飾部材１の前方に位置させ、配線６１をベース８６２の上面の貫通孔を通して収容部８６２１内に導入する。そして、施工者は、ベース８６２の収容部８６２１を装飾部材１の開口２０及び埋込ボックス６０の開口６０１に挿入し、ベース８６２を後方に移動させて、ベース８６２の後面を装飾部材１の背面部２の前面に接触させる。この状態では、ベース８６２の４つの貫通孔８６２２及び装飾部材１の背面部２の４つの貫通孔２１が、埋込ボックス６０の４つのねじ孔６０２とそれぞれ揃った位置にある。施工者は、前方から貫通孔８６２２及び貫通孔２１にねじを通し、ねじをねじ孔６０２に結合する。これにより、装飾部材１の鍔部３０２の後面と埋込ボックス６０の前面との間に、構造体５００（壁）の取付孔５０１の周縁部分を挟み込んだ状態で、装飾部材１及びベース８６２が埋込ボックス６０に対して固定される。本実施形態の装飾部材１においては、貫通孔２１が、装飾部材１を構造体５００（壁）に取り付けるための取付部４として機能する。すなわち、本実施形態の装飾部材１では、背面部２は、構造体５００に対して装飾部材１を取り付けるための取付部４（貫通孔２１）を有している。
【００６９】
そして、施工者は、収容部８６２１内に導入した配線６１をベース８６２の端子に結線する。また、施工者は、カバー８６１の後面の一対の嵌合爪を、ベース８６２の前面の嵌合凹所８６２３に前方から引っ掛け、カバー８６１の貫通孔に通されたねじをねじ孔８６２４に結合する。これにより、カバー８６１がベース８６２に取り付けられる。なお、カバー８６１の貫通孔は、カバー８６１に化粧パネルを取り付けることにより隠される。
【００７０】
このような手順により、インターホンユニット８を構造体５００（壁）に取り付けることができる。
【００７１】
上述のように、本実施形態１の装飾部材１を、インターホン親機８００とともに構造体５００に取り付けることで、インターホン親機８００の側面を保護することが可能となる。また、装飾部材１を、インターホン親機８００とともに構造体５００に取り付けることで、インターホン親機８００（インターホンユニット８）の意匠性を向上させることが可能となる。また、本実施形態の装飾部材１では、装飾部３が、インターホン親機８００の後面８０６の少なくとも一部を覆う背面部２と一体となっているため、装飾部材１の取り付けの施工性を向上させることが可能となる。
【００７２】
（３）変形例
以下に、いくつかの変形例について列記する。以下では上述した実施形態を「基本例」と呼ぶ。上述した基本例及び以下に説明する変形例は、適宜組み合わせて適用可能である。
【００７３】
（３．１）変形例１
装飾部材１は、鍔部３０２を有していなくてもよい。
【００７４】
また、装飾部材１は、埋込部３０４を有していなくてもよい。言い換えれば、装飾部材１は、その全体が構造体５００（壁）に埋め込まれないように構造体５００に取付けられてもよい。
【００７５】
例えば、変形例１の装飾部材１では、図５Ａ、図５Ｂ、図６に示すように、装飾部３の各壁部（左側壁部３１、右側壁部３２、上壁部３３、下壁部３４）及び角部３５は、鍔部３０２を有さずに、平板状の基部３０１のみから形成されている。基部３０１の厚さは、前後方向にわたって略一定である。また、基部３０１は、背面部２と直交する向きに突出している。基部３０１の外面及び内面（例えば左側壁部３１の場合、左面及び右面）は、平坦である。
【００７６】
変形例１の装飾部材１を、インターホン親機８００ともに構造体５００（壁）に取り付けるには、例えば図６に示すように、装飾部材１の背面部２よりも小さく収容部８６２１を通すことが可能な程度の大きさの取付孔５０１を、構造体５００（壁）に形成すればよい。図６の例では、構造体５００（壁）の取付孔５０１の周囲の４箇所に、埋込ボックス６０の４つのねじ孔６０２を露出するための切り欠き５０２が形成されている。基本例の場合と同様に、ベース８６２及び装飾部材１を取付孔５０１に重ねて配置し、前方から貫通孔８６２２及び貫通孔２１にねじを通し、ねじをねじ孔６０２に結合する。これにより、装飾部材１の背面部２の後面と埋込ボックス６０の前面との間に、構造体５００（壁）の取付孔５０１の周縁部分を挟み込んだ状態で、装飾部材１及びベース８６２が埋込ボックス６０に対して固定される。このベース８６２に、カバー８６１を取り付けることで、装飾部材１及びインターホン親機８００を含むインターホンユニット８を構造体５００（壁）に取り付けることができる（図５Ａ、図５Ｂ参照）。
【００７７】
変形例１におけるその他の構成は、基本例と同様のため、説明は省略する。
【００７８】
変形例１の装飾部材１であっても、装飾部材１をインターホン親機８００とともに構造体５００に取り付けることで、インターホン親機８００の側面を保護することが可能となる。また、装飾部材１をインターホン親機８００とともに構造体５００に取り付けることで、インターホン親機８００（インターホンユニット８）の意匠性を向上させることが可能となる。
【００７９】
なお、変形例１の装飾部材１においても、装飾部３は、その前面側が傾斜面であってもよい。すなわち、装飾部３は、前方から後方に向かうにつれて前後方向と直交する面内での厚さが徐々に増加する傾斜部を有していてもよい。
【００８０】
（３．２）変形例２〜変形例５
基本例及び変形例１の装飾部材１の寸法及び形状は、所望のインターホン親機８００に応じて適宜設定されてもよい。
【００８１】
図７Ａ、図７Ｂに示す変形例２のインターホン親機８００は、基本例のインターホン親機８００よりも上下方向の寸法が小さく、左右方向の寸法が大きい。変形例２のインターホン親機８００は、複数の操作部８１（解錠ボタン８１２、通話ボタン８１１、通話を終了させるための終了ボタン８１３）が左右方向に並べて配置されている。
【００８２】
変形例２の装飾部材１は、基本例の装飾部材１と同様の基本構造を有し、その寸法のみが基本例の装飾部材１と異なっている。変形例２の装飾部材１は、装飾部３によって変形例２のインターホン親機８００の側面を覆うように（装飾部３の内面がインターホン親機８００の外側面に近接或いは接触するように）、その寸法が設定されている。変形例２の装飾部材１の背面部２は、前方から見たときの外周形状が変形例２のインターホン親機８００とほぼ同じ（若干大きな）矩形板状である。変形例２の装飾部材１の装飾部３は、背面部２と一体であって背面部２から前方に向かっている。装飾部３の各壁部（左側壁部３１、右側壁部３２、上壁部３３、下壁部３４）の基本構造（基部３０１及び鍔部３０２を備える構造）は、互いに同じである。変形例２の装飾部材１におけるその他の構成は基本例の装飾部材１と同様なので、詳しい説明は省略する。
【００８３】
図８Ａ、図８Ｂに示す変形例３のインターホン親機８００は、変形例２のインターホン親機８００と同じである。変形例３の装飾部材１は、変形例２の装飾部材１と同様の基本構造を有し、その寸法のみが変形例２の装飾部材１と異なっている。すなわち、変形例３の装飾部材１は、変形例１の装飾部材１と同様に、装飾部３が鍔部３０２を有しておらず基部３０１のみから形成されている。変形例３の装飾部材１の背面部２は、前方から見たときの外周形状が変形例３のインターホン親機８００とほぼ同じ（若干大きな）矩形板状である。変形例３の装飾部材１の装飾部３は、背面部２と一体であって背面部２から前方に向かっている。装飾部３の各壁部（左側壁部３１、右側壁部３２、上壁部３３、下壁部３４）の基本構造（基部３０１及び鍔部３０２を備える構造）は、互いに同じである。変形例３の装飾部材１におけるその他の構成は変形例１の装飾部材１と同様なので、詳しい説明は省略する。
【００８４】
図９Ａ、図９Ｂに示す変形例４のインターホン親機８００は、変形例２のインターホン親機８００よりも、さらに上下方向の寸法が小さく、左右方向の寸法が大きい。より詳細には、変形例４のインターホン親機８００は、上下方向の寸法よりも左右方向の寸法の方が大きい。変形例４のインターホン親機８００は、その上下方向の中央に、表示部８２及び操作部８１として機能するタッチパネルを備えている。
【００８５】
変形例４の装飾部材１は、基本例の装飾部材１と同様の基本構造を有し、その寸法のみが基本例の装飾部材１と異なっている。すなわち、変形例４の装飾部材１は、装飾部３によって変形例４のインターホン親機８００の側面を覆うように、その寸法が設定されている。変形例４の装飾部材１におけるその他の構成は基本例の装飾部材１と同様なので、詳しい説明は省略する。
【００８６】
図１０Ａ、図１０Ｂに示す変形例５のインターホン親機８００は、変形例４のインターホン親機８００と同じである。変形例５の装飾部材１は、変形例１の装飾部材１と同様の基本構造を有し、その寸法のみが変形例１の装飾部材１と異なっている。すなわち、変形例５の装飾部材１は、装飾部３によって変形例５のインターホン親機８００の側面を覆うように、その寸法が設定されている。変形例５の装飾部材１におけるその他の構成は変形例１の装飾部材１と同様なので、詳しい説明は省略する。
【００８７】
（３．３）変形例６、変形例７
装飾部材１は、インターホン親機８００（インターホン装置８０）に加えて、他の設備スイッチ７を装飾するよう構成されていてもよい。
【００８８】
例えば、変形例６の装飾部材１では、図１１Ａ、図１１Ｂに示すように、背面部２は、前方から見て矩形状である。そして、背面部２は、第１領域２０１と、第２領域２０２と、第３領域２０３と、を有している。第１領域２０１は、背面部２において、インターホン親機８００（インターホン装置８０）の後面の少なくとも一部を覆う部分である。第２領域２０２は、背面部２において、その他の設備スイッチ７としての給湯器用リモコン７１の後面の少なくとも一部を覆う部分である。第３領域２０３は、その他の設備スイッチ７としての照明用スイッチ７２の後面の少なくとも一部を覆う部分である。第１領域２０１は、背面部２において、前方から見て左側の位置に設けられている。第２領域２０２は、背面部２において、前方から見て右上の位置に設けられている。第３領域２０３は、背面部２において、前方から見て右下の位置に設けられている。
【００８９】
図１１Ａ、図１１Ｂに示す例において、装飾部３は、左側壁部３１と、上壁部３３と、下壁部３４と、を有している。左側壁部３１は、第１領域２０１に配置されたインターホン親機８００の左側面８０２を覆う。上壁部３３は、インターホン親機８００の上側面８０４を覆う。下壁部３４は、インターホン親機８００の下側面８０５を覆う。また、装飾部３は、左側壁部３１と上壁部３３との間を繋ぐ角部３５と、左側壁部３１と下壁部３４との間を繋ぐ角部３５と、を有している。
【００９０】
また、装飾部３は、第１〜第３追加壁部３６１〜３６３を有している。第１追加壁部３６１は、上壁部３３の右端から右方に連続して形成され、第２領域２０２に配置された給湯器用リモコン７１の上側面を覆う。第２追加壁部３６２は、第１追加壁部３６１の右端から下方に連続して形成され、第２領域２０２に配置された給湯器用リモコン７１の右側面及び第３領域２０３に配置された照明用スイッチ７２の右側面を覆う。第３追加壁部３６３は、下壁部３４の右端から右方に連続して形成され、第３領域２０３に配置された照明用スイッチ７２の下側面を覆う。
【００９１】
また、装飾部３は、第１領域２０１と第２及び第３領域２０２，２０３とを分ける上下方向に延びる第１中間壁部３７１と、第２領域２０２と第３領域２０３とを分ける左右方向に延びる第２中間壁部３７２と、を備えている。第１中間壁部３７１は、第１領域２０１に配置されたインターホン親機８００の右側面８０３、第２領域２０２に配置された給湯器用リモコン７１の左側面、及び第３領域２０３に配置された照明用スイッチ７２の左側面を覆う。第２中間壁部３７２は、第２領域２０２に配置された給湯器用リモコン７１の下側面、及び第３領域に配置された照明用スイッチ７２の上側面を覆う。
【００９２】
装飾部３における各壁部（左側壁部３１、上壁部３３、下壁部３４、第１〜第３追加壁部３６１〜３６３）及び角部３５は、基本例における装飾部３の各壁部及び角部３５と同様に、基部３０１と鍔部３０２とを有している（図１１Ｂ参照）。ただし、これに限らず、装飾部３における各壁部及び角部３５は、変形例１における装飾部の各壁部及び角部３５と同様に、基部３０１のみから形成されていてもよい。
【００９３】
本変形例によれば、インターホン親機８００と設備スイッチ７とに一体感を与えることができ、意匠性を向上させることができる。
【００９４】
なお、設備スイッチ７は給湯器リモコン７１、照明用スイッチ７２に限られず、床暖房等の他の装置のスイッチ等であってもよい。
【００９５】
また、装飾部材２によって装飾される設備スイッチ７の数は２個に限られず、設備スイッチ７及びインターホン親機８００も図示例に限られない。
【００９６】
変形例７の装飾部材１では、図１２Ａ、図１２Ｂに示すように、インターホン親機８００の形状及び寸法に応じて、背面部２における第１領域２０１〜第３領域２０３の配置が、変形例６の装飾部材１と異なっている。すなわち、インターホン親機８００に対応する第１領域２０１が、背面部２の上側の部分に位置しており、給湯器用リモコン７１に対応する第２領域２０２と照明用スイッチ７２に対応する第３領域２０３とが、背面部２の下側の部分において左右方向に並んでいる。
【００９７】
第１追加壁部３６１が、左側壁部３１の下端から下方に連続して形成され、第２追加壁部３６２が、第１追加壁部３６１の下端から右方に連続して形成され、第３追加壁部３６３が、右側壁部３２の下端から下方に連続して形成されている。第１領域２０１と第２及び第３領域２０２，２０３との間に第１中間壁部３７１があり、第２領域２０２と第３領域２０３との間に第２中間壁部３７２がある。その他の構成は、変形例６と同様なので、説明は省略する。
【００９８】
本変形例によっても、インターホン親機８００と設備スイッチ７とに一体感を与えることができ、意匠性を向上させることができる。
【００９９】
（３．４）その他の変形例
装飾部３は、側壁部３１，３２以外の部分を備えていなくてもよい。すなわち、装飾部３において、上壁部３３、下壁部３４、角部３５はオプションである。また、装飾部３は、左側壁部３１と右側壁部３２とのうちの一方のみを備えていてもよい。
【０１００】
基本例では、装飾部３における各壁部（左側壁部３１、右側壁部３２、上壁部３３、下壁部３４）は、インターホン親機８００において対応する側面（左側面８０２、右側面８０３、上側面８０４、下側面８０５）の全てを覆う形状であるが、これに限られない。例えば、各壁部は、前後に延びるスリットによって分けられた２つの部分から構成されていてもよい。また、各壁部（例えば、埋込部３０４）には、厚さ方向に貫通し適宜の形状を有する貫通孔が形成されていてもよい。すなわち、装飾部３における各壁部は、インターホン親機８００（インターホン装置８０）において対応する側面の、少なくとも一部を覆っていればよい。
【０１０１】
また、装飾部３の前端は、インターホン親機８００の前面８０１よりも前側に位置していなくてもよい。例えば、装飾部３の前端は、インターホン親機８００の前面８０１（前面において、装飾部３と近接している部分）と同一平面上にあってもよいし、インターホン親機８００の前面８０１よりも後側に位置していてもよい。また、基本例では、装飾部３の前端は、前後方向において全て同一平面上に位置しているが、この構成に限られない。例えば、装飾部３の前端の一部は、装飾部３の前端の他の部分よりも、前後方向において後方に位置してもよい。
【０１０２】
傾斜部３０３は、前方から後方に向かうにつれて、前後方向と直交する面内での厚さが徐々に増加するよう構成されていればよく、傾斜面が湾曲していてもよい。湾曲した傾斜面は、凸曲面であってもよいし凹曲面であってもよい。また、傾斜部３０３は、前方から後方に向かうにつれて内側に向かうように傾斜した傾斜面を有していてもよい。傾斜部３０３の前端と基部３０１の前端との境目は、面取りされて曲面状となっていてもよい。また、傾斜部３０３の後端（外側の端部）は、面取りされて曲面状となっていてもよい。
【０１０３】
装飾部材１は、インターホン親機８００以外のインターホン装置、例えばロビーインターホン９２等に用いられてもよい。
【０１０４】
（４）態様
以上説明した実施形態及び変形例から明らかなように、第１の態様の装飾部材（１）は、インターホン装置（８０）の装飾部材である。インターホン装置（８０）は、操作を受け付ける操作部（８１）を前面（８０１）に有して構造体（５００）に設置される。装飾部材（１）は、背面部（２）と、装飾部（３）と、を備える。背面部（２）は、インターホン装置（８０）の後面（８０６）の少なくとも一部を覆う。装飾部（３）は、背面部（２）と一体であって背面部（２）から前方に向かいインターホン装置（８０）の側面（８０２〜８０５）の少なくとも一部を覆う。装飾部（３）は、側壁部（３１，３２）を有する。側壁部（３１，３２）は、インターホン装置（８０）の左右の側面（８０２，８０３）の少なくとも一部を覆う。
【０１０５】
第１の態様によれば、装飾部（３）によって、意匠性を向上させることが可能となり、また、インターホン装置（８０）の左右を保護することが可能となる。また、装飾部（３）は、インターホン装置（８０）の後面（８０６）の少なくとも一部を覆う背面部（２）と一体となっているため、装飾部材（１）の取り付けの施工性を向上させることが可能となる。
【０１０６】
第２の態様の装飾部材（１）では、第１の態様において、装飾部（３）は、インターホン装置（８０）の上側の側面（上側面８０４）の少なくとも一部を覆う上壁部（３３）をさらに有する、
第２の態様によれば、装飾部（３）によって、インターホン装置（８０）の上側を装飾することが可能となり、また、インターホン装置（８０）の上側面（８０４）を保護することが可能となる。
【０１０７】
第３の態様の装飾部材（１）では、第１又は第２の態様において、装飾部（３）は、インターホン装置（８０）の下側の側面（下側面８０５）の少なくとも一部を覆う下壁部（３４）をさらに有する。
【０１０８】
第３の態様によれば、装飾部（３）によって、インターホン装置（８０）の下側を装飾することが可能となり、また、インターホン装置（８０）の下側面（８０５）を保護することが可能となる。
【０１０９】
第４の態様の装飾部材（１）では、第１〜第３の何れかの態様において、装飾部（３）は、インターホン装置（８０）における隣り合う２つの側面の間の角部分を覆う、角部（３５）をさらに有する、
第４の態様によれば、装飾部（３）によって、インターホン装置（８０）の角部分を装飾することが可能となり、また、インターホン装置（８０）の角部分を保護することが可能となる。
【０１１０】
第５の態様の装飾部材（１）では、第１〜第４の何れかの態様において、装飾部（３）は、前方から見て、インターホン装置（８０）の側面（８０２〜８０５）の全周を覆う。
【０１１１】
第５の態様によれば、装飾部（３）によって、インターホン装置（８０）の側面を保護することが可能となる。また、前方から見たときの装飾部（３）の外観に一体感を持たせることができ、意匠性を向上させることが可能となる。
【０１１２】
第６の態様の装飾部材（１）では、第５の態様において、装飾部（３）は、少なくとも、インターホン装置（８０）の前面（８０１）と側面（８０２〜８０５）との境界部分を、インターホン装置（８０）の側面（８０２〜８０５）の全周にわたって覆う。
【０１１３】
第６の態様によれば、インターホン装置（８０）を前方から見たときに、インターホン装置（８０）の前面（８０１）と側面との境界部分が全て装飾部（３）によって覆われるため、意匠性を向上させることが可能となる。
【０１１４】
第７の態様の装飾部材（１）では、第１〜第６の何れかの態様において、背面部（２）は、前後方向に貫通する開口（２０）を有する。
【０１１５】
第７の態様によれば、インターホン装置（８０）に接続される配線（６１）を、開口（２０）を通して背面部（２）の前後に引き回すことが可能となる。
【０１１６】
第８の態様の装飾部材（１）では、第１〜第７の何れかの態様において、装飾部材（１）は、構造体（５００）に設けられた取付孔（５０１）にその一部が埋め込まれるように構造体（５００）に取り付けられる。装飾部（３）は、取付孔（５０１）の内部に埋め込まれる埋込部（３０４）と、埋込部（３０４）の前方にあって取付孔（５０１）から露出する露出部（３０５）と、を有する。
【０１１７】
第８の態様によれば、装飾部（３）の一部（埋込部３０４）が構造体（５００）に埋め込まれることで、インターホン装置（８０）の構造体（５００）からの突出量を抑えることができる。
【０１１８】
第９の態様の装飾部材（１）では、第８の態様において、露出部（３０５）は、前後方向と直交する面内において埋込部（３０４）よりも外側に突出する鍔部（３０２）を有する。
【０１１９】
第９の態様によれば、埋込部（３０４）が取付孔（５０１）に埋め込まれたときに、鍔部（３０２）によって、装飾部材（１）の前後方向の位置決めが可能となる。また、埋込部（３０４）と取付孔（５０１）の周面との間に隙間がある場合であっても、この隙間を鍔部（３０２）で覆い隠すことが可能となる。
【０１２０】
第１０の態様の装飾部材（１）では、第１〜第９の何れかの態様において、装飾部（３）は傾斜部（３０３）を有する。傾斜部（３０３）は、前方から後方に向かうにつれて、前後方向と直交する面内での厚さが徐々に増加するよう構成されている。
【０１２１】
第１０の態様によれば、装飾部（３）が傾斜部（３０３）を有していない場合に比べて、装飾部（３）の意匠性が向上する。
【０１２２】
第１１の態様の装飾部材（１）では、第１〜第１０の何れかの態様において、背面部（２）は、構造体（５００）に対して装飾部材（１）を取り付けるための取付部（４）を有する。
【０１２３】
第１１の態様によれば、背面部（２）が取付部（４）を有しているため、取付部（４）を構造体（５００）に取り付けるだけで装飾部材（１）を構造体（５００）に取り付けることが可能となる。
【０１２４】
第１２の態様のインターホンユニット（８）は、第１〜第１１の態様の何れかの装飾部材（１）と、インターホン装置（８０）と、を備える。
【０１２５】
第１２の態様によれば、装飾部（３）によって装飾及び保護されたインターホン装置（８０）を備えるインターホンユニット（８）を、提供することが可能となる。
【０１２６】
第１３の態様のインターホンシステム（１００）は、第１２の態様のインターホンユニット（８）と、インターホン装置（８０）と通信可能な情報端末（９０）と、を備える。
【０１２７】
第１３の態様によれば、インターホンユニット（８）を備えたインターホンシステムを提供することが可能となる。
【符号の説明】
【０１２８】
１  装飾部材
２  背面部
２０  開口
３  装飾部
３１  側壁部（左側壁部）
３２  側壁部（右側壁部）
３３  上壁部
３４  下壁部
３５  角部
３０２  鍔部
３０３  傾斜部
３０４  埋込部
３０５  露出部
４  取付部
５００  構造体
５０１  取付孔
８０  インターホン装置
８０１  前面
８０２  側面（左側面）
８０３  側面（右側面）
８０４  側面（上側面）
８０５  側面（下側面）
８０６  後面
８１  操作部
【図１】
2019193125.tif 000003
【図２】
2019193125.tif 000004
【図３】
2019193125.tif 000005
【図４】
2019193125.tif 000006
【図５】
2019193125.tif 000007
【図６】
2019193125.tif 000008
【図７】
2019193125.tif 000009
【図８】
2019193125.tif 000010
【図９】
2019193125.tif 000011
【図１０】
2019193125.tif 000012
【図１１】
2019193125.tif 000013
【図１２】
2019193125.tif 000014